(57)【要約】【課題】  レンタルシステムにおいて、従来から、各種課金方法が提案されているが、課金対象の推移に対応した課金の合理的な方法は開示されていない。【解決手段】  そこで本発明では、パレットにＩＣタグを取り付け、パレットの受け渡しにおいて、入出庫処理手段により入力された、入出庫時点のデータを、ＩＣタグの識別コードと入出庫先のデータと共に、通信手段を介して管理サーバに送信して管理データベースに記録し、ＩＣタグの識別コードにより特定される各パレットの各レンタル先における入庫時点から出庫時点までの経過時間を加算して課金を行う構成としたパレットのレンタルシステムを提案している。【選択図】      図１
2005063062.tif 000002
【特許請求の範囲】
【請求項１】
パレットのレンタル元と、レンタル元からパレットをレンタルする複数のレンタル先と、レンタル元において適数個所に配置したパレットの集積所とを要素とするパレットのレンタルシステムにおいて、パレットの夫々にＩＣタグを取り付けて、夫々を識別可能に構成し、各集積所に、夫々のパレットに取り付けたＩＣタグにアクセス可能な入出庫処理手段を配置すると共に、集積所とレンタル先におけるパレットの受け渡し、及びレンタル先同士におけるパレットの受け渡しにおいて、少なくとも受渡相手の一方側に上記ＩＣタグにアクセス可能な入出庫処理手段を配置し、上記各入出庫処理手段と、レンタル元の管理サーバとを通信手段を介して接続し、各パレットの受け渡しにおいて入出庫処理手段により入力された、入出庫時点のデータを、ＩＣタグの識別コードと入出庫先のデータと共に、通信手段を介して管理サーバに送信して管理データベースに記録し、ＩＣタグの識別コードにより特定される各パレットの各レンタル先における入庫時点から出庫時点までの経過時間を加算して課金を行う構成としたことを特徴とするパレットのレンタルシステム
【請求項２】
レンタル先が、複数の部品メーカーと、これらの部品メーカーから部品を供給される製造メーカーとから構成されるレンタル形態において、複数の部品メーカーと製造メーカーとの夫々の受け渡しにおける入出庫処理手段を製造メーカー側に配置したことを特徴とする請求項１に記載のパレットのレンタルシステム
【請求項３】
製造メーカー側に配置した入出庫処理手段の管理を、レンタル元が行う構成としたことを特徴とする請求項２に記載のパレットのレンタルシステム
【請求項４】
パレットのレンタル元と、レンタル元からパレットをレンタルする複数のレンタル先と、レンタル元において適数個所に配置したパレットの集積所とを要素とするパレットのレンタルシステムにおいて、パレットの夫々にＩＣタグを取り付けて、夫々を識別可能に構成し、各集積所に、夫々のパレットに取り付けたＩＣタグにアクセス可能な入出庫処理手段を配置すると共に、集積所とレンタル先におけるパレットの受け渡し、及びレンタル先同士におけるパレットの受け渡しにおいて、受渡相手の両方側に上記ＩＣタグにアクセス可能な入出庫処理手段を配置し、上記各入出庫処理手段と、レンタル元の管理サーバとを通信手段を介して接続し、各パレットの受け渡しにおいて入出庫処理手段により入力された、入出庫時点のデータを、ＩＣタグの識別コードと入出庫先のデータと共に、通信手段を介して管理サーバに送信して管理データベースに記録し、ＩＣタグの識別コードにより特定される各パレットの各レンタル先における入庫時点から出庫時点までの経過時間を加算して課金を行うと共に、各パレットの各レンタル先における出庫時点から他のレンタル先又は集積所における入庫時点までの経過時間はレンタル元の経過時間として加算する構成としたことを特徴とするパレットのレンタルシステム
【請求項５】
パレットには周囲４個所の全てにＩＣタグを取り付けて全方向からの荷役操作を可能とすると共に、管理データベースには、各パレットに対して全てのＩＣタグの識別コードを登録し、入出庫時点において入出庫処理手段により、各パレットのいずれかのＩＣタグから取得した識別コードから、管理サーバにおいてパレットを識別可能に構成したことを特徴とする請求項１〜４までのいずれか１項に記載のパレットのレンタルシステム
【発明の詳細な説明】
【技術分野】
【０００１】
本発明は、フォークリフト等の荷役機械を用いて各種物品の荷役、運搬、保管等を合理的に行うためのパレットのレンタルシステムに関するものである。
【背景技術】
【０００２】
フォークリフト等の荷役機械を用いて各種物品の荷役、運搬、保管を行うためのパレットは物流の基本的要素の一つであり、従来は、各メーカ等が多量のパレットを自社所有することが多かった。
【０００３】
しかしながらパレットは取り扱う物品の２〜３倍程度の在庫が必要であるため費用と保管スペースの点で大きな負担となっており、また輸送途上で他社のパレットと入り交じったりして紛失することも多く、例えば年間２０％程度の紛失が発生する場合もある。このような紛失を防止するためにパレットに所有者等の名前を入れることも行われているが、この場合には、所有者以外の使用ができず、また入り交じっている場合には使用に際して分別が必要になって面倒である。
【０００４】
一方、近来、物品をパレットに積んだまま輸送する一貫パレチゼーションを行うために、複数の会社等が共同でパレットを使用できるようにするパレットプールシステムが提案されて一部行われており、パレットをレンタルするシステムも行われつつある。例えば、特許文献１では、パレットや、衣料用ハンガー、プラスチック容器等の運搬容器をレンタルにより共同で使用するシステムにおいて、運搬容器にラベルや荷札等の識別手段を取り付けて管理するシステムが提案されており、この識別手段としてアンテナ付ＩＣチップを使用するものが提案されている。
【０００５】
尚、特許文献２には、コンテナー、パレット等の商品格納・運搬道具をレンタル品として、レンタル品の流通量・在庫を管理するレンタル品管理方法、特に、レンタル品の紛失数量を把握し、紛失数量に応じた賠償金を請求し得る管理を可能とするレンタル品管理方法が開示されている。
【０００６】
この特許文献１に記載のシステムは、コスト高となるリサイクル用運搬用具をレンタル制にすることにより、運搬用具の稼働率を上げリサイクルによる経費を下げる目的のシステムであり、その一例としては、識別手段として、例えばＩＣチップを取付けたパレット等の運搬用具をレンタル元から発送するときは、ＩＣチップより読取書込スキャナで運搬用具の固有番号を読取って、管理装置としてのコンピューターに登録し、固有番号毎に発送番号・年月・日時・レンタル先をＩＣチップとコンピューターに書込んで発送データとして記録し、そして運搬用具がレンタル先からレンタル元へ返送されたときは、ＩＣチップを読取って、その固有番号をコンピュータに入力し、これを発送データと照合して、一致する運搬用具の返送年月・日時をコンピュータに記録することをシステムの一部としている。尚、このシステムでは、レンタル先からレンタル元へ返送された運搬用具は、ＩＣカード等の識別手段以外のその他のラベル・荷札があれば、それらを除去し破損箇所の検査と補修をし、クリーニングして再使用に供されるものである。
【０００７】
また特許文献１では、運搬用具に取り付けたアンテナ付ＩＣチップに、貸出先において納品先の情報を書込めば、未回収の運搬用具の場所がさらに精度よく解り、回収率を１００％に近づけることができるというものである。
【特許文献１】特開２０００−１８７７１３号公報
【特許文献２】特開２００３−３６４０５号公報
【発明の開示】
【発明が解決しようとする課題】
【０００８】
しかしながら上述した特許文献１のシステムは、運搬用具のレンタルシステムを提案するものではあるが、このようなレンタルシステムをビジネス化するのに重要な要素であるレンタル料の課金方法については具体的方法が提案されていない。
【０００９】
一般に、音楽ＣＤ，ＤＶＤ，ビデオテープ、その他の各種商品のレンタルにおいては、レンタル開始日時と返却日時とから算出されるレンタル期間からレンタル料を算出して課金することが行われているため、特許文献１のシステムにおいても、コンピュータに記録されている発送日時と、返送日時からレンタル期間を算出して、レンタル料を算出し、これに基づいて課金することができる。
【００１０】
しかしながら、このように一般に行われているレンタルシステムでは、レンタル元からレンタルされた物品がレンタル元に戻るまでの課金の対象は単数であり、課金対象が推移することは想定していない。
【００１１】
例えば上記一貫パレチゼーションにおいて、ある物品が部品メーカーから製造メーカーに輸送されて、そのまま使用される場合には、課金の対象が推移するが、従来の一般のレンタルシステムでは、その課金対象の追跡及び管理を行うのが困難である。
【００１２】
同様に上述した特許文献１のシステムにおいても、レンタル元ではコンピュータに記録されている発送日時と返送日時の他に、レンタル先からの納品先の情報が得られるに過ぎないので、これを課金対象の推移に対応した課金に利用することはできない。
【００１３】
一方、特許文献２には、課金方法、特に紛失数量に応じた賠償金を請求し得るような課金方法が提案されているが、課金対象の推移に対応した課金の合理的な方法は開示されていない。
【００１４】
そこで本発明はこのような課題を解決することを目的とするものである。
【課題を解決するための手段】
【００１５】
上述した課題を解決するために請求項１の発明では、パレットのレンタル元と、レンタル元からパレットをレンタルする複数のレンタル先と、レンタル元において適数個所に配置したパレットの集積所とを要素とするパレットのレンタルシステムにおいて、パレットの夫々にＩＣタグを取り付けて、夫々を識別可能に構成し、各集積所に、夫々のパレットに取り付けたＩＣタグにアクセス可能な入出庫処理手段を配置すると共に、集積所とレンタル先におけるパレットの受け渡し、及びレンタル先同士におけるパレットの受け渡しにおいて、少なくとも受渡相手の一方側に上記ＩＣタグにアクセス可能な入出庫処理手段を配置し、上記各入出庫処理手段と、レンタル元の管理サーバとを通信手段を介して接続し、各パレットの受け渡しにおいて入出庫処理手段により入力された、入出庫時点のデータを、ＩＣタグの識別コードと入出庫先のデータと共に、通信手段を介して管理サーバに送信して管理データベースに記録し、ＩＣタグの識別コードにより特定される各パレットの各レンタル先における入庫時点から出庫時点までの経過時間を加算して課金を行う構成としたパレットのレンタルシステムを提案する。
【００１６】
また請求項２では、請求項１のシステムにおいて、レンタル先が、複数の部品メーカーと、これらの部品メーカーから部品を供給される製造メーカーとから構成されるレンタル形態において、複数の部品メーカーと製造メーカーとの夫々の受け渡しにおける入出庫処理手段を製造メーカー側に配置することを提案する。
【００１７】
また請求項３では、請求項２のシステムにおいて、製造メーカー側に配置した入出庫処理手段の管理を、レンタル元が行う構成とすることを提案する。
【００１８】
また請求項４では、パレットのレンタル元と、レンタル元からパレットをレンタルする複数のレンタル先と、レンタル元において適数個所に配置したパレットの集積所とを要素とするパレットのレンタルシステムにおいて、パレットの夫々にＩＣタグを取り付けて、夫々を識別可能に構成し、各集積所に、夫々のパレットに取り付けたＩＣタグにアクセス可能な入出庫処理手段を配置すると共に、集積所とレンタル先におけるパレットの受け渡し、及びレンタル先同士におけるパレットの受け渡しにおいて、受渡相手の両方側に上記ＩＣタグにアクセス可能な入出庫処理手段を配置し、上記各入出庫処理手段と、レンタル元の管理サーバとを通信手段を介して接続し、各パレットの受け渡しにおいて入出庫処理手段により入力された、入出庫時点のデータを、ＩＣタグの識別コードと入出庫先のデータと共に、通信手段を介して管理サーバに送信して管理データベースに記録し、ＩＣタグの識別コードにより特定される各パレットの各レンタル先における入庫時点から出庫時点までの経過時間を加算して課金を行うと共に、各パレットの各レンタル先における出庫時点から他のレンタル先又は集積所における入庫時点までの経過時間はレンタル元の経過時間として加算する構成としたパレットのレンタルシステムを提案する。
【００１９】
更に請求項５では、以上の各システムにおいて、パレットには周囲４個所の全てにＩＣタグを取り付けて全方向からの荷役操作を可能とすると共に、管理データベースには、各パレットに対して全てのＩＣタグの識別コードを登録し、入出庫時点において入出庫処理手段により、各パレットのいずれかのＩＣタグから取得した識別コードから、管理サーバにおいてパレットを識別可能に構成したことを提案する。
【発明の効果】
【００２０】
以上の本発明によれば、各パレットの受け渡しにおいて入出庫処理手段により、ＩＣタグの識別コードを読み取ると共に、入出庫時点と入出庫先を入力して、それらのデータを通信手段を介して管理サーバに送信して管理データベースに記録する。管理サーバにおいては、管理データベースに記録された、各パレットの各レンタル先における入庫時点から出庫時点までの経過時間を加算して課金を行うことができる。
【００２１】
従って、あるパレットが、レンタル元の集積所とレンタル先と間で入出庫が行われる場合は勿論のこと、パレットがレンタル先間で入出庫が行われる場合においても、夫々の課金対象に対して確実な課金を行うことができる。
【発明を実施するための最良の形態】
【００２２】
夫々のパレットに取り付けたＩＣタグにアクセス可能な入出庫処理手段は、レンタル元の集積所以外には、レンタル先の受渡相手の、少なくとも一方側に設けることにより、上述したようにあるパレットが、レンタル元の集積所とレンタル先と間で入出庫が行われる場合は勿論のこと、パレットがレンタル先間で入出庫が行われる場合においても、夫々の課金対象に対して確実な課金を行うことができる。
【００２３】
レンタル先に関しては、受渡相手の一方側にのみ設けることにより、システム構築費用を低減することができる。
【００２４】
レンタル先が、複数の部品メーカーと、これらの部品メーカーから部品を供給される製造メーカーとから構成されるレンタル形態においては、各部品メーカーにおいて、集積所から納品されて製造メーカーに納品するまでのパレット使用時間は、製造メーカーに配置された入出庫処理手段により入力され、管理データベースに記録された入庫時点と集積所において入力され、管理データベースに記録されている出庫時点とから算出することができ、この使用時間に基づいて所定の課金を行うことができる。
【００２５】
またレンタル先が、複数の部品メーカーと、これらの部品メーカーから部品を供給される製造メーカーとから構成されるレンタル形態においては、製造メーカーから空のパレットが部品メーカーに送られて繰り返し使用される場合があり、この場合には、各部品メーカーにおけるパレット使用時間は、製造メーカーに配置された入出庫処理手段により入力され、管理データベースに記録された入出庫時点とから、製造メーカーから部品メーカーに空のパレットが送られてから、そのパレットにより部品が製造メーカーに入庫されるまでの時間として算出することができる。
【００２６】
製造メーカー側に配置した入出庫処理手段の管理は、レンタル元が行うようにすれば、利害による問題が生じない。
【００２７】
また、レンタル先では、受渡相手の両方側に設ければ、一方側のレンタル先からの出庫時点と、他方側のレンタル先の入庫時点の両方の時点をデータとして収集することができるので、課金は、各パレットの各レンタル先における入庫時点から出庫時点までの経過時間を加算して行い、各パレットの各レンタル先における出庫時点から他のレンタル先又は集積所における入庫時点までの経過時間はレンタル元の経過時間として加算するというような課金方式を採用することができる。このシステムでは、パレットの輸送時間を課金から外すというサービスをレンタル先に提供することができる。
【００２８】
また、本発明において使用するパレットには、周囲４個所の全てにＩＣタグを取り付ければ、入出庫においてパレットが、どの方向から荷役操作された場合でも、所定位置の入出庫処理手段は、４つの内の、いずれかのＩＣタグにアクセス可能となるため、入出庫処理が面倒になることがない。そして、管理サーバの管理データベースには、各パレットに対して全てのＩＣタグの識別コードを登録しているので、入出庫時点において入出庫処理手段により、各パレットのいずれかのＩＣタグから取得した識別コードから、管理サーバにおいてパレットを確実に識別することができる。
【００２９】
こうして本発明では、レンタル先が推移し、課金の対象が推移した場合でも、それらにおけるパレット使用時間を確実に求めて、正確な課金を行えると共に、パレットの紛失が生じた場合には、その責任の所在が明確化される。
【実施例１】
【００３０】
次に本発明の実施例を図１、図２を参照して説明する。
図１は本発明のパレットのレンタルシステムの全体構成の例を、概念的に表した模式的系統図であり、また図２はパレットの一例を示す拡大斜視図である。
図において符号１（１ａ，１ｂ，…）は、レンタルするパレット２を集積する集積所であり、この集積所１は適数、即ち、１つ以上を適所に配置している。３（３ａ，３ｂ，…）は製造メーカー、４（４ａ，４ｂ，４ｃ，…）は部品メーカーを示すものである。
【００３１】
パレット２は、合成樹脂製、スチール製等、適宜であり、夫々のパレット２には、周囲４個所の全てに固有の識別コードを有するＩＣタグ（ＲＦ−ＩＤ）５を取り付けている。尚、符号６は荷役機械のフォーク差込口である。
【００３２】
符号７は入出庫処理手段を示すものであり、この実施例において、入出庫処理手段７は、通信回線８に接続されたコンピュータ７ａとハンディターミナル７ｂとから構成している。ハンディターミナル７ｂは、パレット２の入出庫作業において、上記ＩＣタグ５にアクセスが可能で、また必要な情報が入力可能そして蓄積可能な構成であり、入出庫個所に適数を配置することができる。そしてこのハンディターミナル７ｂは、コンピュータ７ａに接続して、蓄積されているデータをコンピュータ７ａに転送可能な構成としている。そしてコンピュータ７ａは、ハンディターミナル７ｂから転送されたデータを、自体の入力手段により入力した適宜のデータと共に、通信回線８を介して管理サーバ９に転送可能な構成としている。
【００３３】
管理サーバ９は、レンタル元において、貸し出したパレット２の課金管理を行うもので、通信回線８に接続されており、また管理データベース１０を構築している。
【００３４】
この管理データベース１０は、少なくともパレット２及びレンタル先に関するマスターファイルを備えており、パレット２のマスターファイルには、夫々のパレット２に取り付けている４つのＩＣタグ５の識別コードを登録している。また、管理データベース１０には、各パレット２を経時的なデータを記録するファイルを有しており、このファイルには、少なくとも入庫時刻を入庫先と共に記録すると共に、出庫時刻を出庫先と共に記録する記録スペースを有している。
【００３５】
図１に示すように、この実施例では、入出庫処理手段７は、レンタル元の集積所１ａ，１ｂと、製造メーカー３（３ａ，３ｂ）と、一部の部品メーカー４ｂに設置されている。
【００３６】
尚、図中、符号１１はパレット２により輸送する物品、符号１２は輸送手段を示すものであり、また矢印の実線は、パレット２や物品１１の輸送を模式的に示すものである。またパレット２は、単独のものを数字２のみで示し、複数枚を積んだ状態のパレットを（２）として示している。
【００３７】
以上の構成において、本発明システムの動作を説明すると次の通りである。
まず矢印Ａ１，Ａ２，Ａ３は、集積所１ｂから夫々部品メーカー４ａ，４ｂ，４ｃへのパレット２の出荷における輸送を表しているものであり、集積所１ｂでは、夫々に輸送されるパレット２の全数につきハンディターミナル７ｂにより、夫々のパレット２の４つのＩＣタグ５のいずれかのものの識別コードを読み取ると共にそのパレット２を出荷するレンタル先のデータと、その時刻、即ち出荷時刻のデータを記録する。この際、出荷時刻のデータは、ハンディターミナル７ｂ内のシステム時計により自動的に付加されるように構成することができる。
【００３８】
この実施例においては、部品メーカー４ａ，４ｃには入出庫処理手段７を配置していないため、これらの部品メーカー４ａ，４ｃに対しては、この集積所１ｂからの出庫時刻を基準として課金の処理が成される。即ち、夫々の出庫時刻が、入庫時刻として見做して処理を行う。
【００３９】
一方、部品メーカー４ｂには入出庫処理手段７が配置されているので、この部品メーカー４ｂにおいては、集積所１ｂからパレット２が到達した時点において
、輸送されたパレット２の全数につきハンディターミナルにより、夫々のパレット２の４つのＩＣタグ５のいずれかのものの識別コードを読み取ると共に、自己のデータと、入庫時刻のデータを記録する。即ち、この場合には、この入力した入庫時刻が課金の基準となり、この入庫時刻と上記集積所１ｂにおける出庫時刻の間の経過時間は課金の対象とされない。
【００４０】
このように集積所１ｂからパレット２をレンタルした部品メーカー４ａ，４ｂ，４ｃでは、夫々が製造した部品１１をパレット２に積載して製造メーカー３ａに納品する。これらの納品における輸送状態を矢印Ａ４，Ａ５，Ａ６として示している。
【００４１】
このように部品メーカー４ａ，４ｂ，４ｃから製造メーカー３ａに部品が納品されると、製造メーカー３ａに配置している入出庫処理手段７のハンディターミナル７ｂにより、輸送されたパレット２の全数につきハンディターミナルにより、夫々のパレット２の４つのＩＣタグ５のいずれかのものの識別コードを読み取ると共に、自己のデータと、入庫時刻のデータを記録する。
【００４２】
この製造メーカー３ａにおいて入力された各パレット２のデータにおいて、その入庫時刻は、部品メーカー４ａ，４ｂ，４ｃの出庫時刻となる。従って、輸送されたパレット２の課金対象は、各部品メーカー４ａ，４ｂ，４ｃから製造メーカー３ａに移行する。
【００４３】
一方、各パレット２に関して、各部品メーカー４ａ，４ｂ，４ｃにおける入庫時刻から出庫時刻までの経過時間が、各部品メーカー４ａ，４ｂ，４ｃに対する課金のために記録される。
【００４４】
各部品メーカー４ａ，４ｂ，４ｃは、製造メーカー３ａに物品１１と共にパレット２を受け渡してしまうため、その分のパレットを補充する必要があり、この補充は、上述と同様にレンタル元の集積所１からの輸送により行うことができる。
【００４５】
しかしながら本発明のシステムでは、各パレット２を、ＩＣタグ５により個々に識別可能であるため、製造メーカー３ｂに集積した空のパレット２を、矢印Ａ７，Ａ８，Ａ９に示すように、各部品メーカー４ａ，４ｂ，４ｃに補給することができる。
【００４６】
この補給においては、各部品メーカー４ａ，４ｂ，４ｃに輸送するパレット２の全数につきハンディターミナル７ｂにより、夫々のパレット２の４つのＩＣタグ５のいずれかのものの識別コードを読み取ると共に、出庫先と出庫時刻のデータを記録する。
【００４７】
この製造メーカー３ａにおいて入力された各パレット２のデータにおいて、その出庫時刻は、部品メーカー４ａ，４ｂ，４ｃの入庫時刻となる。従って、輸送されたパレット２の課金対象は、製造メーカー３ａから各部品メーカー４ａ，４ｂ，４ｃに移行する。
【００４８】
一方、このように輸送された各パレット２に関して、製造メーカー３ａにおける入庫時刻から出庫時刻までの経過時間が、製造メーカー３ａに対する課金のために記録される。
【００４９】
このように製造メーカー３ａにおける入出庫処理は、課金対象の移行が伴うものであるので、製造メーカー３ａに配置した入出庫処理手段７の管理は、レンタル元が行うようにすれば、利害による問題が生じない。
【００５０】
一方、製造メーカー３ａにおいては、集積した空のパレット２を、上述したように部品メーカー４ａ，４ｂ，４ｃに供給する他、直接に、レンタル元の集積所１に返却できることは云うまでもないことである。この返却におけるパレット２の輸送を矢印Ａ１０で示している。
【００５１】
この返却では、返却するパレット２の全数につきハンディターミナル７ｂにより、夫々のパレット２の４つのＩＣタグ５のいずれかのものの識別コードを読み取ると共に、出庫先、この場合、レンタル元と出庫時刻のデータを記録する。
【００５２】
こうして返却された各パレット２に関しては、製造メーカー３ａにおける入庫時刻から出庫時刻までの経過時間が、製造メーカー３ａに対する課金のために記録される。
【００５３】
以上に説明したパレット２の輸送は、以上の２者間の他、矢印Ａ１１に示すように製造メーカー３ａと他の製造メーカー３ｂの間で行ったり、矢印Ａ１２に示すように部品メーカー４ａ，４ｂ間で行う等、適宜の組み合わせでパレットの相互輸送を行うことができる。
【００５４】
以上のことから、本発明では、各パレットの受け渡しにおいて入出庫処理手段により、ＩＣタグの識別コードを読み取ると共に、入出庫時点と入出庫先を入力して、それらのデータを通信手段を介して管理者サーバに送信して管理データベースに記録する。管理者サーバにおいては、管理データベースに記録された、各パレットの各レンタル先における入庫時点から出庫時点までの経過時間を加算して課金を行うことができ、従って、あるパレットが、レンタル元の集積所とレンタル先と間で入出庫が行われる場合は勿論のこと、パレットがレンタル先間で入出庫が行われる場合においても、夫々の課金対象に対して確実な課金を行うことができる。
【００５５】
夫々のパレットに取り付けたＩＣタグにアクセス可能な入出庫処理手段は、レンタル元の集積所以外には、レンタル先の受渡相手の、少なくとも一方側に設けることにより、上述したようにあるパレットが、レンタル元の集積所とレンタル先と間で入出庫が行われる場合は勿論のこと、パレットがレンタル先間で入出庫が行われる場合においても、夫々の課金対象に対して確実な課金を行うことができる。
【００５６】
レンタル先に関しては、受渡相手の一方側にのみ設けることにより、システム構築費用を低減することができる。
【００５７】
レンタル先が、複数の部品メーカーと、これらの部品メーカーから部品を供給される製造メーカーとから構成されるレンタル形態においては、各部品メーカーにおいて、集積所から納品されて製造メーカーに納品するまでのパレット使用時間は、製造メーカーに配置された入出庫処理手段により入力され、管理データベースに記録された入庫時点と集積所において入力され、管理データベースに記録されている出庫時点とから算出することができ、この使用時間に基づいて所定の課金を行うことができる。
【００５８】
またレンタル先が、複数の部品メーカーと、これらの部品メーカーから部品を供給される製造メーカーとから構成されるレンタル形態においては、製造メーカーから空のパレットが部品メーカーに送られて繰り返し使用される場合があり、この場合には、各部品メーカーにおけるパレット使用時間は、製造メーカーに配置された入出庫処理手段により入力され、管理データベースに記録された入出庫時点とから、製造メーカーから部品メーカーに空のパレットが送られてから、そのパレットにより部品が製造メーカーに入庫されるまでの時間として算出することができる。
【００５９】
製造メーカー側に配置した入出庫処理手段の管理は、レンタル元が行うようにすれば、利害による問題が生じない。
【００６０】
また、レンタル先では、受渡相手の両方側に設ければ、一方側のレンタル先からの出庫時点と、他方側のレンタル先の入庫時点の両方の時点をデータとして収集することができるので、課金は、各パレットの各レンタル先における入庫時点から出庫時点までの経過時間を加算して行い、各パレットの各レンタル先における出庫時点から他のレンタル先又は集積所における入庫時点までの経過時間はレンタル元の経過時間として加算するというような課金方式を採用することができる。このシステムでは、パレットの輸送時間を課金から外すというサービスをレンタル先に提供することができる。
【産業上の利用可能性】
【００６１】
本発明は以上のとおりであるので、レンタル先が推移し、課金の対象が推移した場合でも、それらにおけるパレット使用時間を確実に求めて、正確な課金を行えると共に、パレットの紛失が生じた場合には、その責任の所在が明確化されるので、パレットのレンタルシステムを非常に合理的に構築することができる。
【図面の簡単な説明】
【００６２】
【図１】本発明のパレットのレンタルシステムの全体構成の例を、概念的に表した模式的系統図である。
【図２】本発明に適用するパレットの一例を示す拡大斜視図である。
【符号の説明】
【００６３】
１（１ａ，１ｂ，…）          集積所
２                            パレット
３（３ａ，３ｂ，…）          製造メーカー
４（４ａ，４ｂ，４ｃ，…）    部品メーカー
５                            ＩＣタグ
６                            フォーク差込口
７                            入出庫処理手段
７ａ                          コンピュータ
７ｂ                          ハンディターミナル
８                            通信回線
９                            管理サーバ
１０                          管理データベース
１１                          物品（部品）
【図１】
2005063062.tif 000003
【図２】
2005063062.tif 000004